(57)【特許請求の範囲】
【請求項１】
二つ折りにしたシートの少なくとも一辺を超音波溶着してクリアファイルを製造するクリアファイル製造装置であって、
前記二つ折りにしたシートを搬送する搬送機構と、
前記二つ折りにしたシートを案内するガイド部材と、
前記二つ折りにしたシートの少なくとも二辺の縁部を押える押え手段と、
超音波発振器に接続されるとともに、前記押え手段により前記縁部が押えられた状態で前記二つ折りにしたシートの少なくとも一辺を溶着するための超音波ホーンと、
前記二つ折りにしたシートを挟んで前記超音波ホーンに対向して配置される受け部と、を備え、
前記ガイド部材と、前記押え手段と、前記受け部は、前記搬送機構とは独立して備えられ、
前記超音波ホーン及び前記受け部は、前記押え手段により押え付けられた、前記二つ折りにしたシートの縁部を挟持して溶着する、
ことを特徴とするクリアファイル製造装置。
【請求項２】
前記二辺の縁部を押える押え手段は、少なくとも、二つ折りにしたシートの折り返し辺の縁部を、前記折り返し辺に平行な方向に沿って押えるように構成される、
ことを特徴とする請求項１に記載のクリアファイル製造装置。
【請求項３】
前記二つ折りにしたシートは、位置決め手段により４辺を位置決めした状態で溶着される、
ことを特徴とする請求項１または請求項２に記載のクリアファイル製造装置。
【請求項４】
前記受け部は、前記超音波ホーンと対向する部分に正面視において矩形状の凹凸部を有し、
当該凹凸部の正面視における幅寸法は前記超音波ホーンの先端側の正面視における幅寸法より大きい、
ことを特徴とする請求項１から請求項３の何れか一項に記載のクリアファイル製造装置。
【請求項５】
前記受け部を昇降させる昇降手段を備え、前記二つ折りにしたシートの縁部を溶着する際に前記受け部を昇降させて、前記超音波ホーンと前記受け部との間に前記二つ折りにしたシートを挟持する、
ことを特徴とする請求項１から請求項４の何れか一項に記載のクリアファイル製造装置。
【請求項６】
請求項１から請求項５の何れか一項に記載のクリアファイル製造装置と、
前記クリアファイル製造装置の下流側に連結され、前記クリアファイル製造装置で製造されたクリアファイルを包装するクリアファイル用製袋包装機と、を備える、
ことを特徴とするクリアファイル製造システム。
【発明の詳細な説明】
【技術分野】
【０００１】
本発明は、二つ折りにされたシートの縁部を溶着してクリアファイルを製造する、クリアファイル製造装置及び当該クリアファイル製造装置を備えるクリアファイル製造システムに関する。
【背景技術】
【０００２】
従来から、例えば二つ折りに折り重ねられたプラスチックシートの縁部を溶着してクリアファイルを製作することができる、プラスチックシート小型溶着器が知られている（例えば、「特許文献１」を参照）。
【０００３】
「特許文献１」においては、超音波振動を伝達するホーンと、ホーンを押し付けるバネと、ホーンの下側にあって、プラスチックシートの溶着部の下側を支えて回転するローラーアンビル等を備えたプラスチックシート小型溶着器が開示されている。
当該プラスチックシート小型溶着器では、バネの付勢力によって、ホーンがプラスチックシートを押え込み、ホーンとローラーアンビルに挟まれた位置でプラスチックシートが超音波溶着される。
【０００４】
ここで、クリアファイルを製造する場合、超音波ウェルダー加工によりクリアファイルの縁部が溶着されて溶着部分（ウェルダー部）が形成される。
従来のクリアファイルの溶着部分では、製造時のクリアファイルの折り返しのバラつき（折りムラ）の影響等により、折り重ねられたシートの重ね合わせの位置がズレて、溶着不良が発生することがあった。
また、ローラ等によりプラスチックシートを連続的に送る場合は、搬送されるプラスチックシートが蛇行することがあり、品質にバラツキが生じることがあった。
そのため、搬送による位置バラツキを低減すると共に、折りムラを低減し、溶着不良を抑えることができるクリアファイル製造技術が求められていた。
【先行技術文献】
【特許文献】
【０００５】
【特許文献１】特開２０１３−３９７５２号公報
【発明の概要】
【発明が解決しようとする課題】
【０００６】
本発明は、以上に示した現状の課題を鑑みてなされたものであり、折り重ねられたシートの重ね合わせの位置のバラつきを低減し、溶着不良の低減を図ることができる、クリアファイル製造装置及び当該クリアファイル製造装置を備えるクリアファイル製造システムを提供することを目的とする。
【課題を解決するための手段】
【０００７】
本発明の解決しようとする課題は以上の如くであり、次にこの課題を解決するための手段を説明する。
【０００８】
即ち、本発明のクリアファイル製造装置は、二つ折りにしたシートの少なくとも一辺を超音波溶着してクリアファイルを製造するクリアファイル製造装置であって、前記二つ折りにしたシートを搬送する搬送機構と、前記二つ折りにしたシートを案内するガイド部材と、前記二つ折りにしたシートの少なくとも二辺の縁部を押える押え手段と、超音波発振器に接続されるとともに、前記押え手段により前記縁部が押えられた状態で前記二つ折りにしたシートの少なくとも一辺を溶着するための超音波ホーンと、前記二つ折りにしたシートを挟んで前記超音波ホーンに対向して配置される受け部と、を備え、前記ガイド部材と、前記押え手段と、前記受け部は、前記搬送機構とは独立して備えられ、前記超音波ホーン及び前記受け部は、前記押え手段により押え付けられた、前記二つ折りにしたシートの縁部を挟持して溶着することを特徴とする。
【０００９】
また、本発明のクリアファイル製造装置においては、前記二辺の縁部を押える押え手段は、少なくとも、二つ折りにしたシートの折り返し辺の縁部を、前記折り返し辺に平行な方向に沿って押えるように構成されることが好ましい。
【００１０】
また、本発明のクリアファイル製造装置においては、前記二つ折りにしたシートは、位置決め手段により４辺を位置決めした状態で溶着されることが好ましい。
【００１１】
また、本発明のクリアファイル製造装置において、前記受け部は、前記超音波ホーンと対向する部分に正面視において矩形状の凹凸部を有し、当該凹凸部の正面視における幅寸法は前記超音波ホーンの先端側の正面視における幅寸法より大きいことが好ましい。
【００１２】
また、本発明のクリアファイル製造装置においては、前記受け部を昇降させる昇降手段を備え、前記二つ折りにしたシートの縁部を溶着する際に前記受け部を昇降させて、前記超音波ホーンと前記受け部との間に前記二つ折りにしたシートを挟持することが好ましい。
【００１３】
また、本発明のクリアファイル製造システムは、前記クリアファイル製造装置と、前記クリアファイル製造装置の下流側に連結され、前記クリアファイル製造装置で製造されたクリアファイルを包装するクリアファイル包装機と、を備えることを特徴とする。
【発明の効果】
【００１４】
本発明の効果として、以下に示すような効果を奏する。
【００１５】
即ち、本発明に係るクリアファイル製造装置及び当該クリアファイル製造装置を備えるクリアファイル製造システムよれば、折り重ねられたシートの重ね合わせの位置のバラつきを低減し、溶着不良の低減を図ることができる。
【図面の簡単な説明】
【００１６】
【図１】本発明の一実施形態に係るクリアファイル製造装置を備えたクリアファイル製造システムの全体的な構成を模式的に示した平面図。
【図２】超音波溶着器の構成を示した図であり、（ａ）はその正面図、（ｂ）はその側面図、（ｃ）は図２（ａ）中の領域Ａ内の構成を示した拡大斜視図。
【図３】超音波溶着器によってシートを溶着する際の状態を経時的に示した図であり、（ａ）はシートが溶着位置にセットされた状態を示した正面図、（ｂ）は前側縁部押え機構により折り返し辺の縁部を押え付けた状態を示した正面図、（ｃ）は下側縁部押え機構により一方の辺の縁部を押えた状態を示した正面図、（ｄ）はホーンを下降させている状態を示した正面図、（ｅ）はホーンと受け部の間にシートを挟持して溶着している状態を示した正面図。
【図４】シートの構成を示した図であり、（ａ）はシートを二つ折りする前の見開きの状態を示した展開図、（ｂ）はシートを二つ折りした状態を示した正面図。
【図５】一方の辺が溶着されたクリアファイルを示した完成図。
【発明を実施するための形態】
【００１７】
次に、発明の実施形態について、図１から図５を用いて説明する。
なお、以下の説明に関しては便宜上、図１から図３において、矢印Ｆの方向を前方と規定して記述する。
また、図４および図５においては、図面上の上下方向をクリアファイルの上下方向と規定して記述する。
【００１８】
［クリアファイル１００］
先ず、本発明を具現化するクリアファイル製造装置１によって製造される、クリアファイル１００の一例について、図４及び図５を用いて説明する。
【００１９】
クリアファイル１００は、書類を収容して持ち運べるものとして広く流通する公知のクリアファイルである。
クリアファイル１００は、後述するクリアファイル製造装置１によって製造され、クリアファイル製造装置１に連結されるクリアファイル用製袋包装機２によって、フラップ付包装袋２００に収容されて包装されるものである。
【００２０】
クリアファイル１００は、図４（ａ）（ｂ）に示すように、二つ折りにする前の見開きの状態である一枚の矩形のシート１０１（本実施形態では、シートの見開きサイズがＡ３サイズ）を二つ折りにすることによって二枚のシート片１０１ａ、１０１ｂを重ね合わせ、その折り返し辺１０２と直交する二辺のうち一方の辺１０３（クリアファイル１００において下側辺）同士を溶着してなるものである。
【００２１】
クリアファイル１００は、透明な合成樹脂（本実施形態ではポリプロピレン）で形成された矩形状のシート１０１の中央部分で二つ折りされ、折り返し辺１０２を境に二枚の略同形状のシート片１０１ａ、１０１ｂに分かれているものである。
二枚のシート片１０１ａ、１０１ｂは重ね合わされており、図５に示すように、折り返し辺１０２と直交する二辺のうち一方の辺１０３どうしが溶着されて溶着部１０４が形成される。
【００２２】
なお、シート１０１は、溶着可能な熱可塑性樹脂であればよく、ポリプロピレン、ポリエチレン、ポリスチレン、ポリ塩化ビニル、ポリエステル、ポリメチルメタクリレート、ポリビニルアセテートなどが挙げられる。
また、クリアファイル１００は、外側面もしくは内側面に絵や写真等の図柄等の意匠を施した印刷層を設ける構成とすることもできる。
【００２３】
［クリアファイル製造装置１］
次に、本発明を具現化するクリアファイル製造装置１の全体構成について図１乃至図３を用いて説明する。
【００２４】
クリアファイル製造装置１は、クリアファイル製造装置１の上流側のシート供給部（図示せず）から供給される矩形のシート１０１・１０１・・・を、二つ折りにすることによって二枚のシート片１０１ａ、１０１ｂを重ね合わせ、その折り返し辺１０２と直交する二辺のうち少なくとも一方の辺１０３同士を超音波溶着する装置である。
【００２５】
クリアファイル製造装置１は、図１に示すように、折り機３、超音波ウェルダー部４、および溶着して形成されたクリアファイル１００を包装等の次工程に送り出す搬送部５などにより構成される。
【００２６】
なお、シート供給部から供給されるシート１０１は、二つ折りする前の見開きの状態のシートであり（図４（ａ）を参照）、シート供給部の下流側に配置される折り機３に供給される。
【００２７】
例えば、シート供給部は、二つ折りをする前の見開きの状態のシート１０１（クリアファイルの枚葉物）を多数枚積み重ねたものを、１枚ずつ連続して折り機３へ供給可能に構成される。
【００２８】
折り機３は、シート１０１の折り位置となる折り返し辺１０２で、その折り返し辺１０２を境にして一方のシート片１０１ａと他方のシート片１０１ｂが折り重なるように、二つ折りにする装置である。
折り機３は、公知の折り機を使用することができる。
折り機３は、折り返し辺１０２を下流側に向けた状態にて、シート１０１を超音波ウェルダー部４に供給する。
【００２９】
超音波ウェルダー部４は、搬送機構６、超音波溶着手段の一例としての超音波溶着器７、およびシートの押え手段の一例としてのシート押え機構１３（図３を参照）などにより構成される。
【００３０】
搬送機構６は、折り機３から供給される、溶着する前の二つ折りされたシート１０１を保持して溶着位置を経由しながら、超音波ウェルダー部４の下流端に向かって水平方向に搬送するためのベルトコンベアである。
即ち、搬送機構６は、二つ折りされたシート１０１を超音波溶着器７が配置された溶着位置に搬送するためのベルトコンベアである。
【００３１】
搬送機構６は、二つ折りのシート１０１の上流端側を係止して搬送するベルトコンベアである。
搬送機構６は、装置本体を有し、その上流側の端部に設けられた従動プーリ（図示せず）と、下流側の端部に設けられた駆動プーリ（図示せず）とを備え、この従動プーリと駆動プーリの間に、無端の搬送ベルト６ａを捲回してなる搬送手段である。
【００３２】
搬送機構６は、図示しない駆動モータによって駆動プーリを駆動することにより、搬送ベルト６ａの搬送面（上面）が下流に向けて移動するように運転される。
【００３３】
搬送機構６の搬送ベルト６ａは、水平方向に並設される無端状の一対の幅狭の平ベルトの搬送面に、搬送方向に沿って所定間隔で複数の係止部材６ｂ・６ｂ・・・が突出して設けられた構造となっている。
【００３４】
係止部材６ｂは、例えば、搬送ベルト６ａの搬送面から垂直方向に立ち上がった直線形状の棒体であって、並設される他方の搬送ベルト６ａ上の掛止部材６ｂとともに、二本一組で構成される。
即ち、二本一組の係止部材６ｂ・６ｂは、搬送方向に対して直交する方向に沿って並列し、かつ互いに搬送方向に所定間隔を有した状態にて配置されている。
【００３５】
係止部材６ｂは、搬送機構６により搬送されるシート１０１を搬送し、溶着位置において、シート１０１の上流端の位置決めをし、シート１０１の所定の位置に溶着がなされるようにするものである。
【００３６】
なお、係止部材６ｂの構造は本実施形態におけるシート１０１の大きさや形状に合わせたものであり、係止部材６ｂの大きさ、形状、個数、配置等は上述したものに限定する必要はなく、シート１０１を、それらの幅方向の端部に沿って安定して保持することで定間隔の搬送を可能としている。
【００３７】
搬送機構６には、搬送方向に沿ってシート１０１を案内するガイド部材８・８が配設される。
ガイド部材８・８は、例えば一対の角棒状部材によって構成され、搬送ベルト６ａの幅方向両端の外側に対向して配置される。
【００３８】
ガイド部材８・８は、二つに折られたシート１０１の長手方向両端を規制し、位置決めするためのものである。
よって、互いに対向する一対のガイド部材８・８の間隔は、搬送されるシート１０１の長手方向の寸法と比べて略同程度、もしくはやや大きくなるように設定される。
【００３９】
ガイド部材８・８は、搬送機構６により搬送されるシート１０１を案内し、溶着位置において、シート１０１の長手方向両端の位置決めをし、シート１０１の所定の位置に溶着がなされるようにするものである。
【００４０】
搬送機構６は、溶着位置でシート１０１の下流端を規制するピン部材１６・１６（図３（ａ）参照）を有している。
ピン部材１６・１６は、シート１０１の溶着位置の下流端に配置され、搬送面に対して出没可能に構成される。
【００４１】
ピン部材１６・１６は、溶着位置において、シート１０１の下流端の位置決めをすることで、係止部材６ｂ・６ｂとガイド部材８・８と共に、シート１０１の４辺の位置決めをし、シート１０１の所定の位置に溶着がなされるようにするものである。
すなわち、ピン部材１６・１６、係止部材６ｂ・６ｂ、及びガイド部材８・８は、シート１０１の溶着時にシート１０１の４辺の位置決めをするための位置決め手段である。
なお、クリアファイルのサイズが変わった場合、ガイド部材８・８においては、二つに折られたシート１０１の上下方向の寸法に合わせてガイド部材８・８の間隔を調整できるように可動するとともに固定できるようになっており、手動又は自動で調整できる。また、シート１０１の搬送方向は、係止部材６ｂ・６ｂの停止位置を変更することで調整可能であり、搬送機構６が有する図示しない駆動モータの設定により任意に係止部材６ｂ・６ｂの停止位置を変更できるようになっている。
【００４２】
超音波溶着器７は、折り返し辺１０２で二つ折りされた一方のシート片１０１ａと他方のシート片１０１ｂを、折り返し辺１０２と垂直方向の少なくとも一方の辺１０３（図４を参照）の近傍を平行に溶着する超音波溶着装置である。
【００４３】
具体的には、超音波溶着器７は、シート状の熱可塑性樹脂に対して超音波を用いて溶着する超音波溶着装置であり、超音波ウェルダーとも呼ばれる。
即ち、超音波ウェルダーとは、熱可塑性樹脂を微細な超音波振動と加圧力によって瞬時に溶融し、接着する加工手段のことである。
【００４４】
超音波溶着器７は、図２に示すように、超音波発振器９、振動子１０、共鳴体である超音波ホーン１１（以下、単に「ホーン１１」と呼ぶ）、ホーン１１と対向して配置されシート１０１の下側面を支持する受け部１２、およびホーン１１を昇降させる昇降手段の一例としての昇降機構１７などにより構成される。
【００４５】
超音波溶着器７は、電気エネルギーを機械的振動エネルギーに変換し、また同時に押圧手段により加圧をかけることにより、二つ折りするシートの一方のシート片１０１ａと他方のシート片１０１ｂの接合面に、強力な摩擦熱を発生させ、上記樹脂を溶融し接着させるものである。
【００４６】
具体的には、超音波溶着器７は、例えば５０／６０Ｈｚの電気信号を超音波発振器９によって２０ｋＨｚの電気的エネルギーに変換する。
超音波発振器９で増幅された２０ｋＨｚの電気エネルギーは、超音波発振器９から振動子（例えば、セラミック圧電素子等で構成されるコンバーター）１０へと伝達され、該振動子１０によって機械振動エネルギーに変換される。
この機械振動エネルギーは、ホーン１１を通して、シート１０１に伝達される。
【００４７】
そして、伝達された振動エネルギーによって重ね合わせたシート片１０１ａ、１０１ｂ同士が摩擦することで境界面において強力な摩擦熱が発生し、この摩擦熱で樹脂を溶融させることでシート片１０１ａ、１０１ｂ同士を溶着することができる。
【００４８】
ホーン１１は、金属素材により形成される共鳴体である。
ホーン１１は、超音波発振器９に接続されるとともに、シート押え機構１３（図３を参照）によりシート１０１の縁部が押えられた状態で、二つ折りにしたシートの少なくとも一辺を溶着するためのものである。
【００４９】
ホーン１１は、正面視四角形状であって、側面視において先端側が先細った形状である。
【００５０】
受け部１２は、ホーン１１の先端部に対して対向して配置される扁平な金属部材である。
受け部１２は、シート１０１を溶着する際に、シート１０１を挟んでホーン１１の先端部に対して対向して配置される。
【００５１】
受け部１２は、図２（ｃ）に示すように、ホーン１１の先端部分に対向する部分に、正面視において矩形状の凹凸部１２ａを有している。
受け部１２の幅寸法は、ホーン１１の幅寸法に対して大きい。但し、ホーン１１に対する受け部１２の大きさについては、受け部１２が凹凸部１２ａを有する等の条件により、適宜設定するとよい。
ホーン１１により、二つ折りにしたシート１０１の縁部を加圧するときは、受け部１２の上端は、搬送ベルト６ａの搬送面と略面一となるようになっている。
受け部１２には、受け部昇降機構１８が設けられ、この受け部昇降機構１８により昇降可能になっており、受け部１２を上下方向の所定位置に停止可能である。
【００５２】
なお、本実施形態では、ホーン１１及び受け部１２を昇降機構１７及び受け部昇降機構１８により昇降可能に構成しているが、例えば、ホーン１１と受け部１２を上下入れ替えて、上方に設けた受け部１２のみを昇降可能に構成することも可能である。
また、超音波発振器９によるホーン１１への発振方法については、二つ折りのシート１０１をホーン１１を下方に駆動することにより加圧し、加圧圧力が一定値になってから、ホーン１１への発振をＯＮにする。その後、予め設定した所定の時間経過後にホーン１１への発振をＯＦＦにして、ホーン１１を上方に駆動してホーン１１による加圧を開放する。
また、超音波ホーンの発振タイミングについては、上記記載内容に限定されず、適宜設定することができる。
【００５３】
シート押え機構１３は、図３に示すように、シート１０１の溶着位置において、二つ折りにされたシート１０１の少なくとも２辺の縁部を押える板状部材である。
シート押え機構１３は、前側縁部押え機構１４、および下側縁部押え機構１５などにより構成される。
【００５４】
前側縁部押え機構１４は、下流側にシート１０１の折り返し辺１０２が配置された状態でシート１０１が溶着位置に配置された際に、折り返し辺１０２の縁部を、該折り返し辺１０２に平行な方向に沿って押える手段である。
前側縁部押え機構１４は、搬送方向に対して直交する方向に沿って配置された板状の前側縁部押え部材１４ａと、該前側縁部押え部材１４ａを上下に昇降させる昇降機構（図示せず）とにより構成される。
【００５５】
前側縁部押え部材１４ａは、図３（ａ）に示すように、上昇位置においては搬送ベルト６ａの搬送面（上面）との間に所定のクリアランスＣ１を有する。
ここで、クリアランスＣ１は、二つ折りのシート１０１の厚さ寸法よりも大きくなるように構成されている。
【００５６】
下側縁部押え機構１５は、下流側にシート１０１の折り返し辺１０２が配置された状態でシート１０１が溶着位置に配置された際に、一方の辺１０３の縁部を押える手段である。
下側縁部押え機構１５は、搬送方向に沿って平行に配置された板状の下側縁部押さえ部材１５ａと、該下側縁部押え部材１５ａを上下に昇降させる昇降機構（図示せず）とにより構成される。
【００５７】
下側縁部押え部材１５ａは、上昇位置においては搬送ベルト６ａの搬送面（上面）と所定のクリアランスＣ２を有する。
ここで、クリアランスＣ２は、二つ折りのシート１０１の厚さ寸法よりも大きくなるように構成されている。
【００５８】
以上のような構成からなるクリアファイル製造装置１によって、クリアファイル１００を製造する際は、以下の動作手順に従って実施される。
【００５９】
先ず始めに、図１において、折り機３によりシート１０１が折り返し辺１０２を境にして二つ折りにされ、超音波ウェルダー部４に供給される。
供給されたシート１０１は、超音波ウェルダー部４の搬送機構６により搬送方向に搬送される。
【００６０】
次に、図３（ａ）に示すように、搬送されてきたシート１０１が、溶着位置にて一時停止する。
この際には、シート１０１は、シート１０１の幅方向の両端がガイド部材８・８（図１を参照）により位置決めされるとともに、シート１０１の上流端が係止部材６ｂで、シート１０１の下流端が下方から出るピン部材１６・１６で位置決めされる。
【００６１】
また、この溶着位置に搬送される際に、シート１０１の下流端となる折り返し辺１０２がクリアランスＣ２、Ｃ１へと順に挿通することで、シート１０１の折り返しによる膨らみが抑えられる。
【００６２】
次に、図３（ｂ）に示すように、前側縁部押え機構１４の前縁部押さえ部材１４ａが下降することにより、シート１０１の折り返し辺１０２の縁部が押え付けられる。
これにより、シート１０１の膨らんだ状態が抑えられ、平坦化される。
【００６３】
続いて、図３（ｃ）に示すように、下側縁部押え機構１５の下縁部押さえ部材１５ａが下降することにより、シート１０１の一方の辺１０３の縁部が押え付けられる。
これにより、シート１０１が完全に平坦化される。
【００６４】
なお、本実施形態では、前側縁部押え機構１４、下側縁部押え機構１５の順にシート１０１を押え付けるが、特に、順番は前後してもかまわず、また同時に実行してもよい。
【００６５】
次に、図３（ｄ）に示すように、シート押え機構１３によりシート１０１を押え付けた状態で、昇降機構１７（図２を参照）を駆動することでホーン１１が下降する。
そして、図３（ｅ）に示すように、下側縁部押え部材１５ａの外側において、ホーン１１と受け部１２によりシート１０１の一方の辺１０３の縁部を挟持し、ホーン１１により超音波振動を与えて溶かして溶着する。
こうして、シート片１０１ａ、１０１ｂ同士を溶着してシート１０１に一方の辺１０３に平行な直線状の溶着部１０４（図５を参照）が形成されてクリアファイル１００が完成する。
【００６６】
その後、ホーン１１、前側縁部押え部材１４ａ及び下側縁部押え部材１５ａが上昇して、ピン部材１６・１６、受け部１２が下降して、クリアファイル１００が搬送機構６により搬送部５に搬送される。
但し、ピン部材１６・１６が搬送部５の上方に取り付けられている場合は、ピン部材は上昇し、退避することになる。ピン部材を下方に取り付けるか、上方に取り付けるかについては、設置スペースを優先するか、ピン部材の各調整のし易さを優先するかなどにより、適宜決めるとよい。
【００６７】
次に、図１において、搬送部５では、クリアファイル１００が上流側から下流側へと搬送され、クリアファイル製造装置１に連結されるクリアファイル用製袋包装機２に供給される。
【００６８】
クリアファイル用製袋包装機２は、ロール状に巻かれた原反フィルムを巻き出して、所定形状に裁断し、クリアファイル１００を収容するためのフラップ付包装袋２００を作製することができる。
【００６９】
また、クリアファイル用製袋包装機２では、クリアファイル製造装置１が有する搬送部５から供給されるクリアファイル１００を連続かつ個別に包装し、フラップにフラップシールを付与することができる。
フラップ付包装袋２００に包装されたクリアファイル１００は、スタッカー２０に搬送されて積み上げられる。
【００７０】
以上のように、本実施形態におけるクリアファイル製造装置１では、ホーン１１及び受け部１２は、シート押え機構１３により押え付けられた、二つ折りにしたシート１０１の縁部を挟持して溶着する。
これにより、あらかじめ二つ折りのシート１０１が膨らんだ状態をシート押え機構１３により平坦化して、折り返しのバラツキを低減し、溶着不良を抑えることができる。
【００７１】
また、二つ折りのシート１０１が膨らんだ状態をシート押え機構１３により抑えることができるため、ホーン１１とシート１０１との間の距離（ストローク）を小さくでき、クリアファイル製造のサイクルタイムを短縮することができる。
【００７２】
また、本実施形態におけるクリアファイル製造装置１では、ホーン１１を昇降させる昇降機構１７を備え、二つ折りにしたシート１０１の縁部を溶着する際に昇降機構１７を昇降（本実施形態では降下）させて、ホーン１１と受け部１２との間に二つ折りにしたシート１０１を挟持する。
これにより、シート１０１をずれなく確実に挟持することができる。
【００７３】
また、本実施形態におけるクリアファイル製造装置１では、受け部１２は、ホーン１１と対向する部分に凹凸部１２ａを有する。
また、本実施形態にように受け部１２に凹凸部１２ａを設けた場合、回転ローラーのような曲面上に凹凸部を構成するよりも、製作コストを抑えることができる。また、受け部１２のように平面上に凹凸部１２ａを構成した方が凹凸パターンの設計の自由度が高く出来るメリットもある。更に、シート１０１の厚み、材質を変更する場合、凹凸パターンも変更する事があり、超音波ホーン先端に凹凸部が構成されている場合は、超音波ホーンの交換・調整に手間がかかり、交換作業に時間がかかる。それに対し、受け部１２に凹凸部１２ａが形成されている場合は、受け部１２の交換に調整の手間が掛からないので、交換作業が短縮されるメリットがある。超音波ホーンを交換する場合は、超音波ホーンの個体差により接着強度のバラツキが生じやすいが、受け部１２を交換する場合は、接着強度のバラツキが低減できるメリットがある。超音波ホーンはその目的上、加工する材質に制約があるため、例えば、耐摩耗性等を考慮した材質を選択することができないことがある。しかし、本実施形態のように受け部１２に凹凸部１２ａを形成する場合は、材質の選択の制約が無くなり、加工性、耐摩耗性等を考慮した材質を選択することが出来るメリットがある。
これにより、超音波溶着手段として、超音波ホーンに凹凸部を形成する構成とするよりも、超音波ホーンとは別体で凹凸部を構成することで、製作コストを抑えることができる。
【００７４】
以上の構成からなるクリアファイル製造装置１は、該クリアファイル製造装置１の下流側に連結され、前記クリアファイル製造装置１で製造されたクリアファイル１００を包装するクリアファイル用製袋包装機２を連結して、クリアファイル１００の製造から包装まで一貫して実行することができるクリアファイル製造システム５０とすることもできる。
【００７５】
上記のようにサイクルタイムが短縮できたことにより、クリアファイルのクリアファイル用製袋包装機２のサイクルタイムを落とすことなく、クリアファイル製造装置１の下流側にクリアファイル用製袋包装機２を連結し、連続してクリアファイル１００を製造しながら、クリアファイル１００を包装できるようになる。これによりクリアファイル１００の製造から包装までのタクトアップが図れ、生産効率が向上する。
また、クリアファイル１００の製造から包装までの一貫生産が可能となるため、小ロットの製造が容易となる。
【産業上の利用可能性】
【００７６】
本発明を具現化するクリアファイル製造装置１及び当該クリアファイル製造装置１を備えるクリアファイル製造システム５０は、クリアファイルの製造、及び、製造されたクリアファイルを個包装する際に有益な技術である。
【符号の説明】
【００７７】
１    クリアファイル製造装置
２    クリアファイル用製袋包装機
９    超音波発振器
１１    ホーン
１２    受け部
１３    シート押え機構
１００    クリアファイル
１０１    シート
１０２    折り返し辺
１０３    一方の辺
【図１】
0006687407.tif 000002
【図２】
0006687407.tif 000003
【図３】
0006687407.tif 000004
【図４】
0006687407.tif 000005
【図５】
0006687407.tif 000006